(57)【特許請求の範囲】
【請求項１】
リモートコントローラによって入力操作が可能なＴＶ装置と、栽培計画データベースを含む複数のデータベースを有するサーバと、前記ＴＶ装置とＨＤＭＩケーブルを介して接続され、且つ前記サーバと通信接続される専用端末と、で構成される栽培計画管理システムであって、
前記専用端末は、前記ＴＶ装置に表示された栽培計画作成画面上における前記リモートコントローラの入力操作により作成される農作物を栽培する際に必要な作業内容と作業時期とが設定された前記農作物毎の栽培計画を示す栽培計画データを前記サーバの前記栽培計画データベースに格納し、
前記サーバは、前記栽培計画データベースに格納された前記栽培計画データに設定された前記作業内容の前記作業時期が到来したことを判定して自動的に通知情報を生成し、当該通知情報を前記作業時期の当日又は一定期間前に前記専用端末を介して前記ＴＶ装置に通知して表示し、
前記専用端末は、前記ＴＶ装置に表示された前記通知情報の画面上における前記リモートコントローラの入力操作に応じて前記作業内容が実施されたことを示す実績データを前記栽培計画データベースの前記栽培計画データ上に登録し、
前記専用端末は、前記ＴＶ装置に対する前記リモートコントローラを用いた閲覧指示の入力操作に応じて前記サーバから送信された前記栽培計画データを取得し、前記ＴＶ装置にカレンダー形式の栽培計画閲覧画面を表示する栽培計画管理システム。
【請求項２】
前記サーバは、前記農作物を栽培する際に使用される肥料であって、ユーザが所有している肥料と使用期限を示す肥料データを格納する肥料データベースを更に有し、
前記専用端末は、前記ＴＶ装置に表示された前記栽培計画閲覧画面上から肥料の入力操作が前記リモートコントローラを用いて指示された場合、前記サーバの前記肥料データベースに格納された前記肥料データを選択対象として優先的に前記ＴＶ装置に提示する請求項１に記載の栽培計画管理システム。
【請求項３】
前記サーバは、前記農作物を栽培する際に使用される農薬であって、ユーザが所有している農薬と使用期限と使用制限回数とを示す農薬データを格納する農薬データベースを有し、
前記専用端末は、前記ＴＶ装置に表示された前記栽培計画閲覧画面上から農薬の入力操作が前記リモートコントローラを用いて指示された場合、前記サーバの前記農薬データベースに格納された農薬データを選択対象として優先的に前記ＴＶ装置に提示する請求項１に記載の栽培計画管理システム。
【請求項４】
前記栽培計画閲覧画面には、複数の作業が実施されたことを各々判別可能なアイコンを用いて前記実績データが表示される請求項１に記載の栽培計画管理システム。
【請求項５】
前記栽培計画閲覧画面には、前記農作物を栽培する際に必要な複数の作業内容を、複数の色を用いて各々判別可能なように設定した栽培計画が表示される請求項１に記載の栽培計画管理システム。
【請求項６】
リモートコントローラによって入力操作が可能なＴＶ装置と、栽培計画データベースを含む複数のデータベースを有するサーバと、前記ＴＶ装置とＨＤＭＩケーブルを介して接続され、且つ前記サーバと通信接続される専用端末と、で構成される栽培計画管理システムの方法であって、
前記ＴＶ装置に表示された栽培計画作成画面上における前記リモートコントローラの入力操作により作成される農作物を栽培する際に必要な作業内容と作業時期とが設定された前記農作物毎の栽培計画を示す栽培計画データを前記専用端末を介して前記サーバの前記栽培計画データベースに格納し、
前記サーバが前記栽培計画データベースに格納された前記栽培計画データに設定された前記作業内容の前記作業時期が到来したことを判定して自動的に通知情報を生成し、当該通知情報を前記作業時期の当日又は一定期間前に前記専用端末を介して前記ＴＶ装置に送信し、
前記ＴＶ装置に表示された前記通知情報の画面上における前記リモートコントローラの入力操作に応じて前記作業内容が実施されたことを示す実績データを前記専用端末から前記サーバに送信し、
前記サーバが前記栽培計画データベースの前記栽培計画データ上に前記実績データを登録し、
前記ＴＶ装置に対する前記リモートコントローラを用いた閲覧指示の入力操作に応じて前記サーバから送信された前記栽培計画データを前記専用端末が取得し、前記ＴＶ装置にカレンダー形式の栽培計画閲覧画面を表示する方法。
【発明の詳細な説明】
【技術分野】
【０００１】
本発明の実施形態は、栽培計画管理システム及び方法に関する。
【背景技術】
【０００２】
一般的に、農業を経営する者（以下、営農者と表記）は、農作物を栽培する際に必要な作業（内容及び時期）を含む栽培計画を作成し、当該栽培計画に沿って当該作業を実施する。栽培計画に沿って実施される作業には、例えば播種、定植、農薬散布、追肥及び収穫等が含まれる。
【０００３】
また、営農者は、上記した栽培計画とは別に、栽培計画に沿って作業が実施されているかどうかを確認するために、作業実績を記録しておくことが多い。
【０００４】
このような栽培計画や作業実績は、例えばノートのような紙媒体に記録しておく場合が多い。
【先行技術文献】
【特許文献】
【０００５】
【特許文献１】特開２００９−７００１９号公報
【発明の概要】
【発明が解決しようとする課題】
【０００６】
ところで、栽培計画は、営農者が栽培する農作物毎に作成される。つまり、作業実績の記録も営農者が栽培する農作物毎に行われる。このため、複数種類の農作物を栽培する営農者の場合、紙媒体を利用しての、栽培計画や作業実績の記録には多大な時間を要してしまうという不都合がある。
【０００７】
このため、上記した不都合を解消し得る新たな技術の実現が望まれている。
【０００８】
そこで、本発明が解決しようとする課題は、作業実績の記録に要する手間を低減し得る栽培計画管理システム及び方法を提供することにある。
【課題を解決するための手段】
【０００９】
実施形態に係る栽培計画管理システムは、リモートコントローラによって入力操作が可能なＴＶ装置と、栽培計画データベースを含む複数のデータベースを有するサーバと、前記ＴＶ装置とＨＤＭＩケーブルを介して接続され、且つ前記サーバと通信接続される専用端末と、で構成される。前記専用端末は、前記ＴＶ装置に表示された栽培計画作成画面上における前記リモートコントローラの入力操作により作成される農作物を栽培する際に必要な作業内容と作業時期とが設定された前記農作物毎の栽培計画を示す栽培計画データを前記サーバの前記栽培計画データベースに格納する。前記サーバは、前記栽培計画データベースに格納された前記栽培計画データに設定された前記作業内容の前記作業時期が到来したことを判定して自動的に通知情報を生成し、当該通知情報を前記作業時期の当日又は一定期間前に前記専用端末を介して前記ＴＶ装置に通知して表示する。前記専用端末は、前記ＴＶ装置に表示された前記通知情報の画面上における前記リモートコントローラの入力操作に応じて前記作業内容が実施されたことを示す実績データを前記栽培計画データベースの前記栽培計画データ上に登録する。前記専用端末は、前記ＴＶ装置に対する前記リモートコントローラを用いた閲覧指示の入力操作に応じて前記サーバから送信された前記栽培計画データを取得し、前記ＴＶ装置にカレンダー形式の栽培計画閲覧画面を表示する。
【図面の簡単な説明】
【００１０】
【図１】実施形態に係る栽培計画管理システムのネットワーク構成の一例を示す図。
【図２】栽培計画管理システムに備えられるサーバ装置のシステム構成を示す図。
【図３】栽培計画管理システムに備えられるクライアントデバイスのシステム構成を示す図。
【図４】栽培計画管理システムの機能構成を示すブロック図。
【図５】栽培計画ＤＢに格納されている栽培計画データのデータ構造の一例を示す図。
【図６】肥料ＤＢのデータ構造の一例を示す図。
【図７】農薬ＤＢのデータ構造の一例を示す図。
【図８】収穫ＤＢのデータ構造の一例を示す図。
【図９】天気ＤＢに格納されている天気データのデータ構造の一例を示す図。
【図１０】ＴＶ装置に表示されるホーム画面の一例を示す図。
【図１１】ＴＶ装置に表示される農作物選択画面の一例を示す図。
【図１２】ＴＶ装置に表示される品種選択画面の一例を示す図。
【図１３】ユーザによって作成される栽培計画の概要を表す図。
【図１４】栽培計画を閲覧する際のＴＶ装置の表示画面の一例を示す図。
【図１５】ＴＶ装置に表示される詳細画面の一例を示す図。
【図１６】ＴＶ装置に表示される現在とは異なる年月の栽培計画又は作業実績を閲覧する際の表示画面の一例を示す図。
【図１７】所有物優先提示処理の処理手順を示すフローチャート。
【図１８】所有物優先提示処理が実行されることによってＴＶ装置に表示される表示画面の一例を示す図。
【図１９】自動通知処理の処理手順を示すフローチャート。
【図２０】自動通知処理が実行されることによってＴＶ装置に表示される表示画面の一例を示す図。
【発明を実施するための形態】
【００１１】
以下、図面を参照して、実施形態について説明する。  
図１は、本実施形態に係る栽培計画管理システムのネットワーク構成の一例を示す。本実施形態に係る栽培計画管理システムは、例えば農作物を栽培する際に必要な複数の作業（内容及び時期）を含む栽培計画を管理するために、農業を経営する者（営農者）によって利用される。以下の説明では、栽培計画管理システムを利用する営農者を便宜的にユーザと称する。
【００１２】
図１に示すように、栽培計画管理システムは、サーバ装置１０及びクライアントデバイス２０を備える。
【００１３】
サーバ装置１０は、クライアントデバイス２０と例えばインターネット３０を介して通信可能に接続される電子機器である。サーバ装置１０では、上記した栽培計画に関する各種データを管理する機能を有する。サーバ装置１０は、クライアントデバイス２０以外の外部のサーバ装置等と通信可能に接続されていても構わない。
【００１４】
クライアントデバイス２０は、ユーザの例えば自宅に設置されているＴＶ装置４０と接続可能な電子機器（専用端末）である。クライアントデバイス２０は、例えばＴＶ装置４０のＨＤＭＩ（登録商標）（High-Definition Multimedia Interface）入力端子に、ＨＤＭＩケーブルを介して取り外し可能に接続される。クライアントデバイス２０は、例えば無線ＬＡＮ、Ｂｌｕｅｔｏｏｔｈ（登録商標）及びＷｉｆｉ（登録商標）等の無線通信機能によりＴＶ装置４０と接続される構成であってもよい。
【００１５】
本実施形態において、ＴＶ装置４０は、栽培計画管理システムの外部ディスプレイとして使用される表示装置である。栽培計画管理システムは、図示しないリモートコントローラから受信される操作信号に基づいて栽培計画に関する各種画面をＴＶ装置４０に表示することができる。
【００１６】
図２は、図１に示す栽培計画管理システムに備えられるサーバ装置１０のシステム構成を示す。図２に示すように、サーバ装置１０は、ＣＰＵ１１、不揮発性メモリ１２、主メモリ１３、ＢＩＯＳ−ＲＯＭ１４、システムコントローラ１５、無線通信デバイス１６及びＥＣ１７等を備える。
【００１７】
ＣＰＵ１１は、サーバ装置１０内の各コンポーネントの動作を制御するプロセッサである。プロセッサは、少なくとも１つの処理回路を含む。ＣＰＵ１１は、ストレージデバイスである不揮発性メモリ１２から主メモリ１３にロードされる様々なプログラム（ソフトウェア）を実行する。このプログラムには、オペレーティングシステム（ＯＳ）及びクライアントデバイス２０と連携して栽培計画を管理するためのプログラム（以下、サーバ用プログラムと表記）等が含まれる。
【００１８】
ＣＰＵ１１は、ＢＩＯＳ−ＲＯＭ１４に格納されている基本入出力システム（ＢＩＯＳ）も実行する。ＢＩＯＳは、ハードウェア制御のためのプログラムである。
【００１９】
システムコントローラ１５は、ＣＰＵ１１のローカルバスと各コンポーネントとの間を接続するデバイスである。システムコントローラ１５には、主メモリ１３をアクセス制御するメモリコントローラも内蔵されている。
【００２０】
無線通信デバイス１６は、クライアントデバイス２０及び外部のサーバ装置等と無線通信を実行するように構成されたデバイスである。
【００２１】
ＥＣ１７は、サーバ装置１０の電力管理を実行するように構成されたエンベデッドコントローラを含むワンチップマイクロコンピュータである。
【００２２】
図３は、図１に示す栽培計画管理システムに備えられるクライアントデバイス２０のシステム構成を示す。図３に示すように、クライアントデバイス２０は、ＣＰＵ２１、不揮発性メモリ２２、主メモリ２３、ＢＩＯＳ−ＲＯＭ２４、システムコントローラ２５、グラフィクスコントローラ２６、ＨＤＭＩ制御回路２７、無線通信デバイス２８及びＥＣ２９等を備える。
【００２３】
ＣＰＵ２１は、クライアントデバイス２０内の各コンポーネントの動作を制御するプロセッサである。プロセッサは、少なくとも１つの処理回路を含む。ＣＰＵ２１は、ストレージデバイスである不揮発性メモリ２２から主メモリ２３にロードされるプログラムを実行する。このプログラムには、オペレーティングシステム及びサーバ装置１０と連係して栽培計画を管理するためのプログラム（以下、クライアント用プログラムと表記）等が含まれる。ＣＰＵ２１は、ＢＩＯＳ−ＲＯＭ２４に格納されているＢＩＯＳも実行する。
【００２４】
システムコントローラ２５は、ＣＰＵ２１のローカルバスと各コンポーネントとの間を接続するデバイスである。システムコントローラ２５には、主メモリ２３をアクセス制御するメモリコントローラも内蔵されている。
【００２５】
グラフィクスコントローラ２６は、ＨＤＭＩ制御回路２７及びＨＤＭＩ端子（図示せず）を介して、外部ディスプレイとしてのＴＶ装置４０にデジタル映像信号を送出する。この場合、サウンドコントローラ（図示せず）がＨＤＭＩ制御回路２７（及びＨＤＭＩ端子）を介してＴＶ装置４０にデジタルオーディオ信号を送出してもよい。
【００２６】
ＨＤＭＩ制御回路２７は、ＴＶ装置４０を含む外部映像機器にデジタル映像信号及びデジタルオーディオ信号をＨＤＭＩ端子を介して送出するためのインタフェースである。ＨＤＭＩ端子によれば、非圧縮のデジタル映像信号とデジタルオーディオ信号とを１本のケーブルでＴＶ装置４０に送出することができる。
【００２７】
無線通信デバイス２８は、サーバ装置１０と無線通信を実行するように構成されたデバイスである。
【００２８】
ＥＣ２９は、クライアントデバイス２０の電力管理を実行するように構成されたエンベデッドコントローラを含むワンチップマイクロコンピュータである。
【００２９】
図３においては省略されているが、クライアントデバイス２０は、リモートコントローラのような外部電子機器からの操作信号を受信するための受信部として機能するインタフェースを備える。このインタフェースは、例えば赤外線受信部であってもよいし、Ｂｌｕｅｔｏｏｔｈ規格に基づく無線通信を実行するデバイスであってもよい。
【００３０】
図４は、栽培計画管理システムの機能構成を示すブロック図である。図４に示すように、サーバ装置１０は、通信処理部１０１、ＤＢ管理部１０２、栽培計画データベース（ＤＢ）１０３、肥料データベース（ＤＢ）１０４、農薬データベース（ＤＢ）１０５、収穫データベース（ＤＢ）１０６及び天気データベース（ＤＢ）１０７を含む。
【００３１】
本実施形態において、通信処理部１０１及びＤＢ管理部１０２の一部または全ては、上記したＣＰＵ１１にサーバ用プログラムを実行させること、すなわちソフトウェアによって実現されてもよいし、ＩＣ（Integrated Circuit）等のハードウェアによって実現されてもよいし、当該ソフトウェア及びハードウェアの組み合わせ構成として実現されてもよい。
【００３２】
また、本実施形態において、各ＤＢ１０３〜１０７は、不揮発性メモリ１２に格納されているものとする。
【００３３】
栽培計画管理システムを利用するユーザは、上記した栽培計画（当該栽培計画に沿って実施される作業等）を確認したい場合、リモートコントローラに対する操作を行うことによって、クライアントデバイス２０に対して当該栽培計画の表示を指示することができる。この場合、クライアントデバイス２０は、リモートコントローラからの操作信号に対応する指示内容をサーバ装置１０に対して送信する。
【００３４】
通信処理部１０１は、クライアントデバイス２０との無線通信を実行する機能部である。通信処理部１０１は、クライアントデバイス２０によって送信された指示内容を受信する。
【００３５】
ＤＢ管理部１０２は、栽培計画ＤＢ１０３、肥料ＤＢ１０４、農薬ＤＢ１０５、収穫ＤＢ１０６及び天気ＤＢ１０７に格納される各種データを管理するための機能部である。
【００３６】
ＤＢ管理部１０２は、通信処理部１０１によって受信された指示内容に基づいて、各ＤＢ１０３〜１０７から必要なデータを取得する。ＤＢ管理部１０２によって取得されたデータは、通信処理部１０１を介してクライアントデバイス２０に対して送信される。
【００３７】
また、ＤＢ管理部１０２は、例えばリモートコントローラに対するユーザの操作（つまり、クライアントデバイス２０によって送信された指示内容）に応じて各ＤＢ１０３〜１０７（に格納されているデータ）を更新する。
【００３８】
栽培計画ＤＢ１０３には、農作物を栽培する際に必要な作業が設定された栽培計画を示す栽培計画データが格納される。肥料ＤＢ１０４には、農作物を栽培する際に使用される肥料に関するデータ（以下、肥料データと表記）が格納される。農薬ＤＢ１０５には、農作物を栽培する際に使用される農薬に関するデータ（以下、農薬データと表記）が格納される。収穫ＤＢ１０６には、農作物を収穫可能な日（以下、収穫可能日と表記）に関するデータ（以下、収穫可能日データと表記）が格納される。天気ＤＢ１０７には、日付毎の気温を含む天気データが格納される。
【００３９】
ここで、ＤＢ管理部１０２は、例えば栽培計画ＤＢ１０３に格納されている栽培計画データによって示される栽培計画（に沿って実施される作業）に関する情報（以下、通知情報と表記）を、自動的にユーザに対して通知する機能（以下、自動通知機能と表記）を有する。通知情報には、例えば栽培計画において設定されている各作業を実施すべき時期（以下、作業時期と表記）等が含まれる。
【００４０】
ＤＢ管理部１０２は、自動通知機能を実現するための機能部として、判定部１０２ａ及び生成部１０２ｂを含む。
【００４１】
判定部１０２ａは、栽培計画ＤＢ１０３を定期的に監視し、各作業時期が到来したか否かを判定する。
【００４２】
生成部１０２ｂは、作業時期が到来したことをユーザに通知するための通知情報を生成する。
【００４３】
生成部１０２ｂによって生成された通知情報は、通信処理部１０１を介してクライアントデバイス２０に対して送信される。
【００４４】
図４に示すように、クライアントデバイス２０は、通信処理部２０１、表示処理部２０２及び操作受付部２０３を含む。
【００４５】
本実施形態において、通信処理部２０１、表示処理部２０２及び操作受付部２０３の一部または全ては、上記したＣＰＵ２１にクライアント用プログラムを実行させること、すなわちソフトウェアによって実現されてもよいし、ＩＣ等のハードウェアによって実現されてもよいし、当該ソフトウェア及びハードウェアの組み合わせ構成として実現されてもよい。
【００４６】
通信処理部２０１は、サーバ装置１０からクライアントデバイス２０に対して送信されたデータ及び通知情報を受信する。
【００４７】
表示処理部２０２は、クライアントデバイス２０内部に予め用意されている表示画面データ、通信処理部２０１によって受信されたデータ及び通知情報に基づいて、各種表示画面を生成する。表示処理部２０２は、生成された表示画面をＴＶ装置４０に表示する。
【００４８】
操作受付部２０３は、ユーザによるリモートコントローラに対する操作を受け付けるための機能部である。操作受付部２０３は、リモートコントローラに対するユーザの操作に応じて、当該操作（信号）に対応する指示（内容）を受け付ける。操作受付部２０３によって受け付けられた指示は、通信処理部２０１を介してサーバ装置１０に対して送信される。
【００４９】
次に、サーバ装置１０に含まれる各ＤＢ１０３〜１０７に格納されるデータについて説明する。
【００５０】
図５は、栽培計画ＤＢ１０３に格納されている栽培計画データのデータ構造の一例を示す。
【００５１】
図５に示すように、栽培計画データは、栽培計画において設定された各作業の作業内容及び作業時期を対応づけて含む。作業内容は、農作物を栽培する際に必要な作業の内容を示す。作業時期は、対応づけられている作業内容の作業を実施すべき時期（日付）を示す。
【００５２】
図５に示す栽培計画データによれば、栽培計画において例えば播種の作業を４月１０日〜４月２０日に実施すべきことが示されている。栽培計画データにおいては、定植、農薬散布（１回目）、収穫初め、追肥（１回目）、農薬散布（２回目）、追肥（２回目）、農薬散布（３回目）及び追肥（３回目）の各作業についても同様に作業時期が示されている。
【００５３】
栽培計画データによって示される栽培計画は、リモートコントローラを操作することによって、ユーザが例えばＴＶ装置４０の画面上で作成することができる。具体的には、ユーザは、農作物を栽培する際に必要な作業の内容と当該作業を実施すべき時期とを、作業毎に順次指定（入力）していくことにより栽培計画を作成することができる。このようにＴＶ装置４０の画面上で栽培計画が作成された場合、当該栽培計画を示す栽培計画データ（各作業が設定された栽培計画データ）は、クライアントデバイス２０からサーバ装置１０に送信され、当該サーバ装置１０に含まれる栽培計画ＤＢ１０３に格納（登録）される。ユーザは、一旦登録された栽培計画（データ）をＴＶ装置４０の画面上で修正（変更）することも可能である。
【００５４】
図５においては便宜的に１つの栽培計画データについてのみ説明したが、ユーザが複数の農作物（又は、複数の品種）を栽培する場合、栽培計画ＤＢ１０３には、当該農作物毎（又は、品種毎）の栽培計画データが格納される。このため、栽培計画データは、例えば当該栽培計画データによって示される栽培計画で栽培される農作物名（又は、品種名）に対応づけて栽培計画ＤＢ１０３に格納されるものとする。
【００５５】
図６は、肥料ＤＢ１０４のデータ構造の一例を示す。図６に示すように、肥料ＤＢ１０４には、農作物を栽培する際に使用される肥料であって、ユーザが所有（購入）している肥料毎に、肥料名と使用期限とを対応づけて含む肥料データが格納されている。
【００５６】
肥料名は、ユーザが所有している肥料の名称である。使用期限は、ユーザが所有している肥料の使用期限となる年月を示す。使用期限は、肥料の購入日から自動的に設定されてもよいし、ユーザがリモートコントローラを操作することによってＴＶ装置４０の画面上で設定されてもよい。
【００５７】
図６に示す例では、肥料ＤＢ１０４には、例えば肥料名「肥料Ａ」と使用期限「２０１６年１月」とを対応づけて含む肥料データが格納されている。この肥料データによれば、肥料名が肥料Ａである肥料の使用期限が２０１６年１月であることが示されている。ここでは、肥料名が肥料Ａである肥料に関する肥料データについてのみ説明したが、他の肥料データについても同様であるため、ここではその詳しい説明は省略する。
【００５８】
図７は、農薬ＤＢ１０５のデータ構造の一例を示す。図７に示すように、農薬ＤＢ１０５には、農作物を栽培する際に使用される農薬であって、ユーザが所有（購入）している農薬毎に、農薬名、使用期限、使用制限回数及び実使用回数を対応づけて含む農薬データが格納されている。
【００５９】
農薬名は、ユーザが所有している農薬の名称である。使用期限は、ユーザが所有している農薬の使用期限となる年月を示す。使用期限は、農薬の購入日から自動的に設定されてもよいし、ユーザがリモートコントローラを操作することによってＴＶ装置４０の画面上で設定されてもよい。
【００６０】
使用制限回数は、農作物の栽培において農薬を使用可能な回数の上限を示す。一般的に、過度の農薬の使用は農作物に悪影響を与えることが知られている。このため、使用制限回数は、消費者に対して安全及び安心な農作物を提供するために予め定められているものとする。使用制限回数は、ユーザがリモートコントローラを操作することによってＴＶ装置４０の画面上で設定されてもよい。
【００６１】
実使用回数は、農作物の栽培においてユーザが農薬を実際に使用した回数を示す。実使用回数は、リモートコントローラに対するユーザの操作に応じてＴＶ装置４０の画面上で設定（登録）される。
【００６２】
図７に示す例では、農薬ＤＢ１０５には、例えば農薬名「農薬Ａ」、使用期限「２０１６年１２月」、使用制限回数「３回」及び実使用回数「１回」を対応づけて含む農薬データが格納されている。この農薬データによれば、農薬名が農薬Ａである農薬の使用期限が２０１６年１２月であり、当該農薬を使用可能な回数の上限が３回であり、当該農薬を実際に使用した回数が１回であることが示されている。ここでは、農薬名が農薬Ａである農薬に関する農薬データについてのみ説明したが、他の農薬データについても同様であるため、ここではその詳しい説明は省略する。
【００６３】
図８は、収穫ＤＢ１０６のデータ構造の一例を示す。一般的に、ユーザ（営農者）は、消費者に対して安全及び安心な農作物を提供するために、農薬散布後の一定期間は当該農作物の収穫作業を実施しない場合が多い。このため、収穫ＤＢ１０６においては、農薬散布後の収穫可能日が管理される。
【００６４】
図８に示すように、収穫ＤＢ１０６には、農薬散布日及び収穫可能日を対応づけて含む収穫可能日データが格納されている。
【００６５】
農薬散布日は、農作物の栽培においてユーザが農薬を散布（使用）した日付を示す。農薬散布日は、リモートコントローラに対するユーザの操作に応じてＴＶ装置４０の画面上で設定（登録）される。
【００６６】
収穫可能日は、農薬散布後に農作物の収穫が可能となる日付を示す。収穫可能日は、農薬散布日から一定期間が経過した後の日付であり、例えば当該農薬散布日から自動的に設定される。収穫可能日は、リモートコントローラに対するユーザの操作に応じてＴＶ装置４０の画面上で設定されてもよい。
【００６７】
図８に示す例では、収穫ＤＢ１０６には、例えば農薬散布日「７月１０日」及び収穫可能日「７月１５日」を対応づけて含む収穫可能日データが格納されている。この収穫可能日データによれば、７月１０日に農薬が散布されたことにより、農作物の収穫作業が７月１５日から可能であることが示されている。
【００６８】
図９を参照して、天気ＤＢ１０７について説明する。天気ＤＢ１０７には、天気データ及び設定データが格納される。
【００６９】
図９は、天気データのデータ構造の一例を示す。図９に示すように、天気データは、日付毎に、天気、最高気温、最低気温及び平均気温を対応づけて含む。
【００７０】
日付、天気、最高気温、最低気温及び平均気温は、日毎に、例えば外部のサーバ装置等から自動的に収集されて登録されるものとする。天気データは、栽培計画データによって示される栽培計画における農作物の栽培期間にのみ収集されてもよい。
【００７１】
図９に示す例では、天気ＤＢ１０７には、例えば日付「５月１０日」、天気「晴」、最高気温「２０」、最低気温「１０」及び平均気温「１５」を対応づけて含む天気データが格納されている。この天気データによれば、５月１０日の天気は晴れであり、この日の最高気温が２０℃、最低気温が１０℃、平均気温が１５℃であることが示されている。
【００７２】
以下、本実施形態に係る栽培計画管理システムの動作の概要について説明する。営農者であるユーザが栽培計画管理システムを利用する場合、当該ユーザは、当該ユーザが栽培する農作物について栽培計画を作成する必要がある。
【００７３】
まず、クライアントデバイス２０が起動されると、ＴＶ装置４０には、図１０に示すようなホーム画面が表示される。このホーム画面には、例えばクライアントデバイス２０を起動した当日の天気の実績データ（日付、時間帯別の天気及び気温等）とともに、それぞれ異なる番号が割り当てられた複数の項目（ボタン）が表示される。ユーザは、リモートコントローラに設けられている所望の番号のボタンを押下する操作を行うことによって、当該番号が割り当てられた項目に対応する指示をクライアントデバイス２０に対してすることができる。
【００７４】
図１０では、上記した複数の項目の一例として「栽培日誌作成」、「栽培日誌閲覧」、「病害虫」及び「購買」といった項目が表示されている場合を示すが、複数の項目としては上記した項目以外の項目が表示されてもよい。ここでは、上記した複数の項目のうち「栽培日誌作成」の項目に対応する番号のボタンが、ユーザによって押下された場合について説明する。なお、ここでは詳しくは説明しないが、「病害虫」の項目に対応する番号のボタンがユーザによって押下された場合、どのような病害虫がどの地域で発生しているのかを示す画面がＴＶ装置４０に表示される。また、「購買」の項目に対応する番号のボタンがユーザによって押下された場合、例えば肥料や農薬を購入するための画面（ネットショッピングを行うための画面）がＴＶ装置４０に表示される。なお、「栽培日誌閲覧」の項目に対応する番号のボタンがユーザによって押下された場合については、後述するため、ここではその詳しい説明は省略する。
【００７５】
「栽培日誌作成」の項目に対応する番号のボタンを押下する操作がユーザによってなされた場合、ＴＶ装置４０には、図１１に示すような農作物の種類を選択するための画面（以下、農作物選択画面と表記）が表示される。上述したように、ユーザが複数種類の農作物を栽培する場合、栽培計画は農作物毎に作成されるため、栽培計画を作成したい農作物を選択可能な農作物選択画面が表示される。ここでは、図１１に示す複数の項目のうち「トマト」の項目に対応する番号のボタンが、ユーザによって押下された場合について説明する。
【００７６】
「トマト」の項目に対応する番号のボタンを押下する操作がユーザによってなされた場合、ＴＶ装置４０には、図１２に示すような農作物の品種を選択するための画面（以下、品種選択画面と表記）が表示される。ユーザが、所定の農作物に関し、複数品種栽培する場合、栽培計画は品種毎に作成されるため、栽培計画を作成したい品種を選択可能な品種選択画面が表示される。ここでは、図１２に示す複数の項目のうち「トマトＡ」の項目に対応する番号のボタンが、ユーザによって押下された場合を想定する。
【００７７】
「トマトＡ」の項目に対応する番号のボタンを押下する操作がユーザによってなされた場合、すなわち、「トマトＡ」の栽培計画の作成が指示された場合、ＴＶ装置４０には、栽培計画を作成するための画面（以下、栽培計画作成画面と表記）が表示される。この栽培計画作成画面においては、農作物を栽培する際に必要な作業の内容及び当該作業を実施すべき時期（月日等）を指定（選択）することによって、当該農作物の栽培計画を作成する。なお、図１３は、ユーザによって作成される栽培計画の概要を表す図である。図１３においては、作業時期の詳細（日付等）については省略されている。
【００７８】
ユーザによって作成された栽培計画はクライアントデバイス２０からサーバ装置１０に対して送信され、上述した図５に示すような栽培計画データが栽培計画ＤＢ１０３に登録（格納）される。
【００７９】
栽培計画ＤＢ１０３に格納される栽培計画データは、ユーザによって作成された栽培計画を示す栽培計画データではなく、例えば農業協同組合等で予め作成されている栽培計画（栽培暦）を示す栽培計画データであっても構わない。
【００８０】
栽培計画データが栽培計画ＤＢ１０３に登録された後に、図１０に示したホーム画面に戻り、「栽培日誌閲覧」の項目に対応した番号のボタンがユーザによって押下され、更には、図１１及び図１２と同様な画面において、農作物の種類及び品種（ここでは、トマトＡ）が指定されたことにより（トマトＡの）栽培計画の閲覧（表示）が指示された場合を想定する。この場合、クライアントデバイス２０は、栽培計画の閲覧が指示されたことをサーバ装置１０に対して送信（通知）し、栽培計画ＤＢ１０３に格納されている栽培計画データを当該サーバ装置１０から受信する。クライアントデバイス２０によって受信された栽培計画データは、ＴＶ装置４０に表示される。これにより、ユーザは、栽培計画をＴＶ装置４０を介して閲覧することができる。
【００８１】
図１４は、栽培計画を閲覧する際のＴＶ装置４０の表示画面（以下、栽培計画閲覧画面と表記）の一例を示す。図１４に示す例では、栽培計画閲覧画面において栽培計画はカレンダーの形式で表示されている。
【００８２】
栽培計画閲覧画面の上部には、農作物名表示領域３０１が設けられている。この農作物名表示領域３０１には、栽培計画閲覧画面において閲覧されている栽培計画で栽培される農作物名が表示される。図１４に示す栽培計画閲覧画面においては、農作物名表示領域３０１には、農作物名として「トマトＡ」が表示されている。
【００８３】
栽培計画閲覧画面において、農作物名表示領域３０１の下部には、カレンダー表示領域３０２が設けられている。このカレンダー表示領域３０２には、現在（クライアントデバイス２０を起動した当日）の日付を含む月単位のカレンダーが表示される。このカレンダーは、当該カレンダー上でユーザが現在の日付を容易に把握可能な態様で（例えば、現在の日付の欄が強調された状態で）表示される。図１４に示す例では、現在の日付が７月１１日（木）であることが示されている。
【００８４】
また、カレンダー表示領域３０２においては、今後予定されている作業の内容及び時期が表示される。具体的には、カレンダー表示領域３０２に表示されている日付のうち、栽培計画データに含まれる作業時期に該当する日付の欄には、当該作業時期に実施すべき作業内容を表す帯状のマーク（又は、色）が付加される。図１４に示す例では、７月２０日（土）の欄には、追肥を表すマーク３０２ａが付加されている。これによれば、ユーザは、７月２０日（土）に追肥を実施すべきであることを容易に把握することができる。ここでは、追肥について説明したが、カレンダー表示領域３０２に表示されているカレンダー上に他の作業（播種、定植、農薬散布及び収穫等）を実施すべき時期に該当する日付が存在する場合には、当該作業内容に対応するマークが当該日付の欄に付加される。
【００８５】
一方、栽培計画に沿ってユーザが実際に作業を実施した場合、ユーザは、当該作業の実績（作業内容及び時期）を例えば栽培計画閲覧画面において登録することができる。
【００８６】
図１４に示すように、例えば７月１日（月）に追肥の実績が登録された場合、カレンダー表示領域３０２の７月１日（月）の欄には、肥料を表すアイコン３０２ｂが付加される。この場合、追肥において使用された肥料の量等が併せて登録されてもよい。
【００８７】
また、例えば７月１０日（水）に農薬散布の実績が登録された場合、カレンダー表示領域４０２の７月１０日（水）の欄には、農薬を表すアイコン３０２ｃが付加される。この場合、農薬散布において使用された農薬量等が併せて登録されてもよい。
【００８８】
ここで、農薬散布の実績が登録された場合には、図８に示す収穫ＤＢ１０６が更新される。具体的には、農薬散布を実施した日（農薬散布日）及び当該農薬散布日から自動的に設定される収穫可能日を含む収穫可能日データが収穫ＤＢ１０６に格納される。農薬散布において使用された農薬の農薬名を併せて登録することで、図７に示す当該農薬名に対応づけて農薬データに含まれている実使用回数についても更新されるものとする（当該実使用回数に１が加算される）。
【００８９】
更に、音声メモとしてユーザの音声を登録することも可能である。音声メモが登録された場合には、カレンダー表示領域３０２の該当する日付（例えば、７月１日（月））の欄には音声メモを表すアイコン３０２ｄが付加される。
【００９０】
図１４には示されていないが、追肥及び農薬散布以外に、収穫の実績を登録することも可能である。収穫の実績が登録された場合には、当該収穫を表すアイコンが当該収穫が実施された日付の欄に付加される。この場合、収穫量等が併せて登録されてもよい。
【００９１】
このような栽培計画閲覧画面によれば、ユーザは、過去に実施された作業及び今後予定されている作業（の内容及び時期）を容易に把握することが可能となる。
【００９２】
上記した農薬散布の実績、追肥の実績、収穫の実績、及び音声メモの登録は、カレンダー表示領域３０２の下部に表示されている作業登録ボタンをリモートコントローラを用いてユーザが指定することによって行われる。図１４に示すように、作業登録ボタンには、例えば「肥料」ボタン３０３ａ、「農薬」ボタン３０３ｂ、「収穫量」ボタン３０３ｃ及び「音声メモ」ボタン３０３ｄが含まれる。追肥の実績を登録する場合、ユーザは、リモートコントローラに設けられているボタンのうち、「肥料」ボタン３０３ａに割り当てられた番号のボタン（ここでは、「１」のボタン）を押下すればよい。農薬散布の実績、収穫の実績、及び音声メモを登録する場合についても同様である。なお、作業登録ボタンの指定は、例えばリモートコントローラに設けられているカーソルキー等を用いて、栽培計画閲覧画面に表示されるカーソルを移動させることによって行われても構わない。
【００９３】
詳細については省略するが、ユーザによって登録される農薬散布の実績、追肥の実績、収穫の実績、及び音声メモの登録内容は、例えば栽培計画ＤＢ１０３内で管理されるものとする。
【００９４】
ここで、図１４に示す栽培計画閲覧画面上で、所定の日付が選択された場合に表示される詳細画面について説明する。図１５は、詳細画面の一例を示す。詳細画面は、登録された作業実績の詳細を示す画面である。すなわち、ユーザは、図１４に示す栽培計画閲覧画面では、どのような作業を実施すべきか、またどのような作業が実施されたかを色やアイコンによって容易に把握することができるが、何をどれだけ使ってどのような作業が実施されたか等の詳細を把握することまではできない。図１５に示す詳細画面によれば、７月１日（月）の作業実績として、肥料Ａを１０００ｋｇ用いて追肥が行われたこと、また音声メモが登録されており、この音声メモをボタン３０３ｅを押下することで再生し、この音声メモの内容を把握することができる。
【００９５】
なお、図１４に示すように、栽培計画閲覧画面には、現在の時刻及び当日の天気等の情報が更に表示されても構わない。
【００９６】
また、栽培計画閲覧画面には、上記した作業登録ボタン３０３ａ〜３０３ｄ以外に、例えば農薬及び肥料を購入する機能、天気予報を確認（表示）する機能、及び農業協同組合によって作成された栽培計画（栽培暦）を閲覧する機能等に対応するボタンが設けられていてもよい。
【００９７】
また、栽培計画閲覧画面に設けられているボタンに対応する機能をユーザが選択（指定）する等によって、ユーザが栽培計画閲覧画面を編集（カスタマイズ）できるような構成としてもよい。
【００９８】
図１４に示す例では、カレンダー表示領域３０２には現在の日付を含む月のカレンダー（７月のカレンダー）が表示されているが、例えば図１６に示すように、リモートコントローラに対するユーザの操作に応じて他の月のカレンダーが表示されるようにしてもよい。これによれば、ユーザは、例えば来月実施される作業及び先月以前に実施した作業等についても容易に確認することができる。
【００９９】
更に、図１４に示す例では栽培計画がカレンダーの形式で表示されているが、栽培計画は、例えば図１３に示すような当該栽培計画全体が把握できるような形式で表示されてもよい。この場合、図１４に示すようなカレンダー形式で表示した場合と比較して、日付毎に作業内容等を表示することは困難であるが、少なくとも栽培計画に沿って各作業が行われているか否かをユーザが容易に把握できるような態様で表示されるものとする。また、上記したような栽培計画の表示形式をユーザが選択する（切り替える）ことが可能な構成であってもよい。
【０１００】
上述したように、ユーザ（営農者）は、栽培計画作成画面において栽培計画を作成しておくことにより、栽培計画閲覧画面上で、栽培計画を確認（閲覧）することが可能である。また、ユーザは、栽培計画閲覧画面において作業の実績を登録しておくことにより、過去に実施した作業の実績をいつでも確認（閲覧）することが可能である。しかしながら、栽培計画の登録や過去に実施した作業の実績の登録には、リモートコントローラの的確な操作が必要である。すなわち、リモートコントローラの操作が煩雑であることが原因で、栽培計画の登録や過去に実施した作業の実績の登録を断念してしまう可能性がある。
【０１０１】
そこで、本実施形態においては、過去に実施した作業の実績、例えば追肥や農薬散布の実績を登録する際に、リモートコントローラの操作の煩雑性を緩和し得る、すなわち、当該登録時にかかる手間を減らし得る所有物優先提示処理を更に実行する。以下、図１７に示すフローチャートを参照して、この所有物優先提示処理の手順について説明する。
【０１０２】
なお、図１７に示す所有物優先提示処理は、図１４に示す栽培計画閲覧画面上で、肥料ボタン３０３ａ又は農薬ボタン３０３ｂがユーザによって押下された場合に、サーバ装置１０に含まれるＤＢ管理部１０２によって実行される。但し、サーバ装置１０に含まれる肥料ＤＢ１０４には、ユーザが所有している肥料を示す肥料データが既に格納（登録）されているものとする。同様に、サーバ装置１０に含まれる農薬ＤＢ１０５には、ユーザが所有している農薬を示す農薬データが既に格納（登録）されているものとする。以下では、栽培計画閲覧画面上で、肥料ボタン３０３ａがユーザによって押下された場合の所有物優先提示処理について説明する。
【０１０３】
まず、ＤＢ管理部１０２は、肥料ＤＢ１０４に格納されている肥料データを取得する（ブロック１００１）。ここでは、例えば図６に示す肥料データが取得されたものとする。
【０１０４】
ＤＢ管理部１０２は、取得された肥料データを、通信処理部１０１を介してクライアントデバイス２０に送信し（ブロック１００２）、ここでの処理を終了させる。
【０１０５】
なお、クライアントデバイス２０に含まれる表示処理部２０２は、サーバ装置１０によって送信された肥料データを、通信処理部２０１を介して受信すると、上述した表示画面データと当該肥料データとに基づいて、当該肥料データによって示される肥料名を、使用した可能性のある肥料として選択可能な表示画面を生成する。このように表示処理部２０２によって生成された表示画面、例えば図１８に示す表示画面は、ＴＶ装置４０に表示される。
【０１０６】
図１８に示す表示画面では、「「肥料Ａ」を使用しましたか？」という文字列が表示されている。この表示画面上で、ユーザは「はい」の項目に対応する番号のボタンを押下すれば、肥料Ａを用いて追肥の作業を実施したという実績を登録することができる。一方で、ユーザは「いいえ」の項目に対応する番号のボタンを押下すれば、画面上には、サーバ装置１０によって送信された別の肥料データによって示される肥料名を選択可能な表示画面（例えば、「「肥料Ｂ」を使用しましたか？」といった文字列を有する画面）が表示される。このように、作業実績登録時に、ユーザが所有している肥料を、使用した可能性のある肥料として選択可能な表示画面を生成し、これを表示させることで、作業実績を登録するのにかかる手間や操作の煩雑さを、緩和させることができる。
【０１０７】
さらに、本実施形態における栽培計画管理システムは、上述した自動通知機能により操作の煩雑さをより緩和させることができる。以下では、図１９に示すフローチャートを参照して、当該自動通知機能による自動通知処理の手順について説明する。
【０１０８】
図１９に示す自動通知処理は、例えば、クライアントデバイス２０が起動され、ホーム画面が表示される際に、サーバ装置１０に含まれるＤＢ管理部１０２によって実行される。但し、サーバ装置１０に含まれる栽培計画ＤＢ１０３には、例えばユーザによって作成された栽培計画を示す栽培計画データが既に格納（登録）されているものとする。
【０１０９】
まず、ＤＢ管理部１０２は、現在の日付を示す日付データを取得する（ブロック２００１）。ＤＢ管理部１０２は、サーバ装置１０内で管理されている日付データを取得してもよいし、外部のサーバ装置で管理されている日付データを当該外部のサーバ装置から取得してもよい。
【０１１０】
ＤＢ管理部１０２は、栽培計画ＤＢ１０３に格納されている栽培計画データを取得する（ブロック２００２）。
【０１１１】
次に、ＤＢ管理部１０２に含まれる判定部１０２ａは、ＤＢ管理部１０２によって取得された日付データ及び栽培計画データに基づいて、栽培計画において設定されている作業を実施すべき時期（作業時期）が到来したか否かを判定する（ブロック２００３）。この場合、判定部１０２ａは、日付データによって示される現在の日付が栽培計画データに含まれる作業時期（日付）に該当する（一致する）場合、当該作業時期が到来したと判定する。
【０１１２】
作業時期が到来していないと判定された場合（ブロック２００３のＮＯ）、自動通知処理は終了される。
【０１１３】
一方、作業時期が到来したと判定された場合（ブロック２００３のＹＥＳ）、ＤＢ管理部１０２に含まれる生成部１０２ｂは、作業時期が到来したことを通知するための通知情報を生成する（ブロック２００４）。
【０１１４】
ＤＢ管理部１０２は、生成部１０２ｂによって生成された通知情報を、クライアントデバイス２０を介してユーザに通知する（ブロック２００５）。
【０１１５】
この場合、生成部１０２ｂによって生成された通知情報は、通信処理部１０１を介してクライアントデバイス２０に対して送信される。クライアントデバイス２０に含まれる表示処理部２０２は、サーバ装置１０によって送信された通知情報を、通信処理部２０１を介して受信し、上述した表示画面データと当該通知情報とに基づいて、当該通知情報を含む表示画面を生成する。このように表示処理部２０２によって生成された表示画面、例えば図２０に示す表示画面は、ＴＶ装置４０に表示される。これにより、通知情報がユーザに対して通知される。
【０１１６】
図２０に示す表示画面では、「収穫時期になりました。（８月・９月）収穫を開始しますか？」という文字列が表示されている。これによれば、ユーザは、クライアントデバイス２０を起動した当日がトマトＡの収穫時期であることを認識することができる。なお、この表示画面上で、ユーザが「はい」の項目に対応する番号のボタンを押下すれば、作業実績の登録がなされる一方で、「いいえ」の項目に対応する番号のボタンを押下すれば、作業実績の登録はなされない。このように、ユーザに対して通知情報を通知するだけでなく、作業実績の登録まで実行可能な表示画面を表示させることで、多方面にわたって、操作の煩雑さをより緩和させることができる。
【０１１７】
なお、図２０においては、クライアントデバイス２０によって新たな通知情報が受信された場合にポップアップが表示されるものとして説明したが、ユーザが通知情報の存在を容易に把握可能であれば、他の態様で通知情報の存在が通知されてもよい。具体的には、図１０に示したように、ホーム画面内に通知情報の存在を通知するための領域が設けられていてもよいし、当該通知情報が存在することをアラーム又は音声で通知するようにしてもよい。
【０１１８】
また、図２０においては、通知情報として収穫時期が表示されるものとして説明したが、例えばサーバ装置１０に含まれる各ＤＢ１０３〜１０７に格納されているデータ及び外部のサーバ装置から取得可能なデータから作成可能であれば他の内容が表示されてもよい。
【０１１９】
なお、通知情報は、作業時期の当日（つまり、作業を実施すべき日）にユーザに対して通知されるのではなく、当該作業時期の一定期間前に通知されてもよい。
【０１２０】
なお、本実施形態に係る栽培計画管理システムを利用するユーザ（つまり、営農者）の中には、例えばパーソナルコンピュータまたはタブレットコンピュータ等の電子機器を使用する機会の少ないユーザも多いと考えられる。このため、本実施形態において、各種通知情報は、ユーザの自宅等に設置されているＴＶ装置４０に表示される。これによれば、パーソナルコンピュータまたはタブレットコンピュータ等の電子機器を使用する機会の少ないユーザであっても、クライアントデバイス２０を自宅のＴＶ装置４０に接続するのみで、本実施形態に係る栽培計画管理システムを容易に利用することが可能となる。ＴＶ装置４０に代えて、他の外部ディスプレイ等が用いられても構わない。
【０１２１】
また、本実施形態において説明した通知情報は一例であり、栽培計画と連動したものであれば他の内容が通知されてもよい。具体的には、栽培計画において設定されている作業を実施すべき時期の天気データに基づいて、例えば台風が接近している旨の通知情報等が通知されても構わない。サーバ装置１０内のＤＢには、通知される内容に応じて、本実施形態において説明したデータ以外のデータが管理されていてもよい。
【０１２２】
また、本実施形態に係る栽培計画管理システムはサーバ装置１０及びクライアントデバイス２０を備えるものとして説明したが、当該栽培計画管理システムは、１の装置によって実現されても構わない。すなわち、栽培計画管理システムは、サーバ装置１０の機能を更に備えたクライアントデバイス２０によってのみ構成されてもよいし、クライアントデバイス２０の機能を更に備えたサーバ装置１０によってのみ構成されてもよい。栽培計画管理システムがサーバ装置１０によってのみ構成される場合には、リモートコントローラのような外部電子機器からの信号を受信するための受信部として機能するインタフェースはＴＶ装置４０に備えられていればよい。
【０１２３】
更に、本実施形態において説明したサーバ装置１０（またはクライアントデバイス２０）が有する各機能が複数の装置に分散された構成とすることも可能である。
【０１２４】
以上説明した一実施形態によれば、栽培計画管理システムは、過去の作業の実績を登録する際に、特に、追肥や農薬散布の実績を登録する際に、ユーザ（営農者）が所有している肥料や農薬をＴＶ装置４０に優先的に提示する所有物優先提示処理を実行可能な構成を備えているので、作業実績の記録に要する手間を低減させることができる。
【０１２５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【０１２６】
１０…サーバ装置、１１…ＣＰＵ、１２…不揮発性メモリ、１３…主メモリ、１４…ＢＩＯＳ−ＲＯＭ、１５…システムコントローラ、１６…無線通信デバイス、１７…ＥＣ、２０…クライアントデバイス、２１…ＣＰＵ、２２…不揮発性メモリ、２３…主メモリ、２４…ＢＩＯＳ−ＲＯＭ、２５…システムコントローラ、２６…グラフィクスコントローラ、２７…ＨＤＭＩ制御回路、２８…無線通信デバイス、２９…ＥＣ、４０…ＴＶ装置、１０１…通信処理部、１０２…ＤＢ管理部、１０２ａ…判定部、１０２ｂ…生成部、１０３…栽培計画ＤＢ、１０４…肥料ＤＢ、１０５…農薬ＤＢ、１０６…収穫ＤＢ、１０７…天気ＤＢ、２０１…通信処理部、２０２…表示処理部、２０３…操作受付部。
【図１】
0006400506.tif 000002
【図２】
0006400506.tif 000003
【図３】
0006400506.tif 000004
【図４】
0006400506.tif 000005
【図５】
0006400506.tif 000006
【図６】
0006400506.tif 000007
【図７】
0006400506.tif 000008
【図８】
0006400506.tif 000009
【図９】
0006400506.tif 000010
【図１０】
0006400506.tif 000011
【図１１】
0006400506.tif 000012
【図１２】
0006400506.tif 000013
【図１３】
0006400506.tif 000014
【図１４】
0006400506.tif 000015
【図１５】
0006400506.tif 000016
【図１６】
0006400506.tif 000017
【図１７】
0006400506.tif 000018
【図１８】
0006400506.tif 000019
【図１９】
0006400506.tif 000020
【図２０】
0006400506.tif 000021